(57)【要約】【課題】  波形スレート板の既設屋根材の上に波形金属板の新規屋根材を作業性よく設置する屋根補修工法を提供する。【解決手段】  底面部に切欠き６５ａを有し、上面部に剣先ボルト７を立設したクランプ金具６を、既設屋根材２から突出する既設のフックボルト４の先端部に切欠き６５ａを嵌合させて既設屋根材２上に固定し、固定された多数のクランプ金具６の剣先ボルト７の尖状軸端に新規屋根材３を支持せしめ、新規屋根材３に上から荷重を加えて剣先ボルト７を新規屋根材３に貫通させ、新規屋根材３から突出する剣先ボルト７により新規屋根材３をナット締めしてクランプ金具６に固定する。【選択図】        図１
2005256374.tif 000002
【特許請求の範囲】
【請求項１】
波形スレート板の既設屋根材に、これを覆う波形金属板の新規屋根材を設置する屋根補修工法であって、
断面箱形で、上面部を新規屋根材の山部に沿う断面山形形状に形成するとともに、底面部を既設屋根材の山部に沿う断面山形形状に形成し、底面部には長手方向の端縁に開口する切欠きを形成し、かつ上面部の頂部には軸端を尖状とした剣先ボルトを軸端を上方に向けて立設したクランプ金具を用い、
既設屋根材を貫通してこれを母屋に固定した既設のフックボルトの上端のナット座金と既設屋根材の山部との間の隙間から上記フックボルトまわりに上記切欠きを嵌め込んで上記クランプ金具を既設屋根材の山部に固定し、
既設屋根材を覆うようにして位置決めした新規屋根材を、既設屋根材に固定した複数の上記クランプ金具の上記剣先ボルトにより支持せしめ、
新規屋根材の支持点まわりに上から荷重を加えて上記剣先ボルトを新規屋根材に貫通せしめて新規屋根材を上記クランプ金具の上に支持せしめ、
新規屋根材から突出する上記剣先ボルトまわりにパッキン材を設けるとともに、上端にボルト挿通穴を形成した座金部材を、上記ボルト挿通穴に剣先ボルトを挿通せしめて上記パッキン材を介在させて新規屋根材の山部上にこれを跨ぐように設置し、
上記座金部材から突出する上記剣先ボルトの上端からナット部材を締め込んで新規屋根材を上記クランプ金具に押付け固定する屋根補修工法。
【請求項２】
上記クランブ金具として、上記剣先ボルトを備え、断面山形の底面部に、その頂部を貫通して上記フックボルトのナット直下の軸部まわりに嵌合せしめる嵌合穴と、該嵌合穴と底面部の上記端縁とを連通せしめて上記フックボルトの軸部を上記嵌合穴に嵌入させるガイド溝からなる切欠きを形成し、かつ上記ガイド溝は上記嵌合穴との連接部の溝幅が上記嵌合穴の径よりも小さく、溝幅が底面部端縁の開口に向けて拡大するテーパ状に形成したクランプ金具を用いる請求項１記載の屋根補修工法。
【請求項３】
上記クランプ金具は、上記底面部の長手方向中央部に設けた上記嵌合穴と長手方向両側の上記端縁とを連通せしめる上記ガイド溝を備え、上記剣先ボルトは、上記クランプ金具の一方の端縁寄りの位置で山部の頂部に形成したねじ穴に軸部を上記クランブ金具内側から螺入し、頭部を上記山部の頂部内面に圧接させるとともに上記軸部を上方へ突出しせしめた請求項２記載の屋根補修工法。
【発明の詳細な説明】
【技術分野】
【０００１】
本発明は、老朽化した波形スレート板の既設屋根材の上に金属板の新規屋根材を設置する屋根補修工法に関するものである。
【背景技術】
【０００２】
大型工場、倉庫、体育館等の波型スレート板の既設屋根材が古くなったとき、これを撤去して新規屋根材を設置すると、工事期間中、工場での操業や、倉庫等の使用が不可能となる。そこで波形スレート板の既設屋根材を撤去することなく、その上に金属板の新規屋根材を設置することが行われている。
【０００３】
この場合、新規屋根材の上から新規屋根材および既設屋根材に長いドリルタッピングねじを貫通させ、その先端を既設屋根材を支持する母屋にねじ込み新規屋根材を固定する従来方法では、建築物内に既設屋根材や母屋の穴あけによる施工くず、ごみ、ちり等が落下する。
【０００４】
このため、操業中の工場や使用中の倉庫、体育館等に落下物の防止のためのテントを張るなど、大がかりな養生が必要である。しかも穴あけやドリルタッピングねじの締付けによって老朽化した既設屋根のスレート板に割れ、ひび、欠け等が生じるおそれがある。
【０００５】
そこで、既設屋根材に、これを加工することなく固定できるクランプ金具を介して新規屋根材を設置する補修工法が提案され、実施されている。
【０００６】
例えば下記特許文献１の工法では、クランプ金具として、金属板からなるほぼ箱形で、上面部を新規屋根材の山部に沿う断面形状とし、底面部を既設屋根材の山部に沿う断面形状とし、底面部にはその端縁に開口する切欠きを形成したクランプ金具を用い、上記切欠きを、既設屋根材の山部から突出するフックボルトに設けたナットの座金と既設屋根材の山部との間の隙間からフックボルト軸まわりに嵌め込んでクランプ金具をその中にフックボルトの上端を収納した状態で既設屋根材の山部に固定し、このようにして固定された多数のクランプ金具の上に新規屋根材の山部を重ね合せてドリルタッピングねじ等によりクランプ金具にねじしめ固定するものである。
【特許文献１】特開平１０−２１９９３６号公報
【発明の開示】
【発明が解決しようとする課題】
【０００７】
しかしながら、この工法により施工する場合、次のような問題がある。即ち、既設のスレート屋根、特に大型工場や体育館等の屋根では建物によって既設のフックボルトの設置位置が山部２つおきであったり３つおきであったりして一定でなく、また同一建物であっても２つおきの部分や３つおきの部分がある。またスレート屋根施工後に補強のために既設のフックボルトの間に更に新しいフックボルトを設ける場合もある。
【０００８】
このように必ずしも規則的でない配置のフックボルトに固定した各クランプ金具の位置を、これらを覆う新規屋根材の上から確かめるのに手間がかかり、更に新規屋根材の上からクランプ金具にドリルタッピングねじをねじ立てするに際しては、クランプ金具の縁に片寄りすぎないように、またクランプ金具内に突出するフックボルトの先端と接触しないように適正な位置を決めなければならないなど、作業性に問題があった。
【０００９】
そこで本発明は、既設屋根材に設置したクランプ金具上に既設屋根材を覆う新規屋根材を、各クランプ金具の位置をいちいち確かめて、面倒なねじ立てをすることなく固定することができる作業性良好な屋根補修工法を提供することを課題としてなされたものである。
【課題を解決するための手段】
【００１０】
本発明は、波形スレート板の既設屋根材に、これを覆う波形金属板の新規屋根材を設置する屋根補修工法であって、断面箱形で、上面部を新規屋根材の山部に沿う断面山形形状に形成するとともに、底面部を既設屋根材の山部に沿う断面山形形状に形成し、底面部には長手方向の端縁に開口する切欠きを形成し、かつ上面部の頂部には軸端を尖状とした剣先ボルトを軸端を上方に向けて立設したクランプ金具を用い、既設屋根材を貫通してこれを母屋に固定した既設のフックボルトの上端のナット座金と既設屋根材の山部との間の隙間から上記フックボルトまわりに上記切欠きを嵌め込んで上記クランプ金具を既設屋根材の山部に固定し、既設屋根材を覆うようにして位置決めした新規屋根材を、既設屋根材に固定した複数の上記クランプ金具の上記剣先ボルトにより支持せしめ、新規屋根材の支持点まわりに上から荷重を加えて上記剣先ボルトを新規屋根材に貫通せしめて新規屋根材を上記クランプ金具の上に支持せしめ、新規屋根材から突出する上記剣先ボルトまわりにパッキン材を設けるとともに、上端にボルト挿通穴を形成した座金部材を、上記ボルト挿通穴に剣先ボルトを挿通せしめて上記パッキン材を介在させて新規屋根材の山部上にこれを跨ぐように設置し、上記座金部材から突出する上記剣先ボルトの上端からナット部材を締め込んで新規屋根材を上記クランプ金具に押付け固定する（請求項１）。
【００１１】
本発明によれば、新規屋根材や、これを支持するクランプ金具にねじ立てすることなく、新規屋根材を設置することができる。またクランプ金具を覆う新規屋根材から突出させた剣先ボルトを利用して単にナット締めするのみで新規屋根材をクランプ金具に固定することができ、新規屋根材の取付作業性が大きく向上する。
【００１２】
上記クランブ金具として、上記剣先ボルトを備え、断面山形の底面部に、その頂部を貫通して上記フックボルトのナット直下の軸部まわりに嵌合せしめる嵌合穴と、該嵌合穴と底面部の上記端縁とを連通せしめて上記フックボルトの軸部を上記嵌合穴に嵌入させるガイド溝からなる切欠きを形成し、かつ上記ガイド溝は上記嵌合穴との連接部の溝幅が上記嵌合穴の径よりも小さく、溝幅が底面部端縁の開口に向けて拡大するテーパ状に形成したクランプ金具を用いる（請求項２）。ガイド溝によりフックボルトを嵌合穴に導入させることで、作業性よくクランプ金具をフックボルトにより既設屋根材に固定することができる。
【００１３】
上記クランプ金具は、上記底面部の長手方向中央に設けた上記嵌合穴と長手方向両側の上記端縁とを連通せしめる上記ガイド溝を備え、上記剣先ボルトは、上記クランプ金具の一方の端縁寄りの位置で山部の頂部に形成したねじ穴に軸部を上記クランブ金具内側から螺入し、頭部を上記山部の頂部内面に圧接させるとともに上記軸部を上方へ突出しせしめた（請求項３）。上記ねじ穴によりクランプ金具に剣先ボルトを容易に立設することができる。またフックボルト嵌合位置と剣先ボルト立設位置とをずらせたから、クランプ金具内に突出するフックボルトの先端と剣先ボルトの頭部とは干渉せず、クランプ金具の高さを低く設定することができる。
【発明を実施するための最良の形態】
【００１４】
図１は本発明により補修された屋根を示す図、図２および図３は本発明の実施に用いる部材を示す図である。波形スレート板の既設屋根材２は、該屋根材２の山部２１を貫通するフックボルト４の下端のフック部が屋根本体の断面コ字形の母屋１のエッヂに係止され、上端が座金４１およびパッキン材４２を介してナット４３で締付けられて母屋１上に固定されている。金属板の新規屋根材３はスレート板の既設屋根材２の山部２１と同ピッチで山部２１よりも鋭角状に突出する山部３１を有し、谷部３２はほぼ平坦面としてある。
【００１５】
新規屋根材３は、フックボルト４を利用して既設屋根材２に固定されたクランプ金具６を介して既設屋根材２にこれを覆うように固定せしめられる。クランプ金具６は厚さが２．０〜２．５ｍｍ程度の鋼板を図２に示すようにほぼ三角形の箱形断面形状に成形したもので、前後端は開放されている。上面部の頂部６１はほぼ平坦面としてあり、左右の側面６２は、新規屋根材３の山部３１の左右の傾斜側面とほぼ同じ傾斜角度としてある。底面部６３は、金具幅方向の中央に向けて既設屋根材２の山部２１の左右の傾斜側面よりもやや緩い傾斜角度で立上がる傾斜面としてある。そして頂部に沿って金具長手方向に切欠きが形成してある。
【００１６】
切欠きは、底面部６３の長手方向中央に開口する丸穴６４と、丸穴６４と底面部６３の前後の端縁とをそれぞれ連通させるガイド溝６５ａ，６５ｂとからなる。丸穴６６４の径は７ｍｍ程度で、既設のフックボルト４の軸部の径よりも僅かに大きくしてある。ガイド溝６５ａ，６５ｂは溝幅が端縁の開口に向けて徐々に広がるテーパ状としてあり、丸穴６６４との連接部の幅はフックボルト４の軸部の径と同じ、ないしは僅かに小さくしてある。
【００１７】
クランプ金具６の頂部６１には中央よりも一方の端縁寄りの位置に、軸端を尖状とした剣先ボルト７が突設してある。剣先ボルト７は、クランプ金具６の頂部６１にねじ穴６６を設け、ガイド溝６５ｂの下側から挿通させて軸部７１をねじ穴６６に螺入させ、頭部７２を上記頂部６１内面に圧接させるとともに軸部７１を上方へ突出させることによりクランプ金具６に立設される。ガイド溝６５ｂの溝幅は、剣先ボルト７の頭部７２を挿通させるに充分な幅としてある。
【００１８】
老朽化した既設屋根材２の補修は、上記クランプ金具６を用いて次のようにして施工される。
【００１９】
クランプ金具６を、フックボルト４で固定された既設屋根材２の山部２１の上に底面部６３を沿わせるようにして配し、底面部６３の一方の端縁を、パッキン材４２を介在せしめた座金４１と上記山部２１との間に押込む。座金４１は山部２１に沿う断面形状の鞍形で、山部２１との間にパッキン材４２が介在しており、かつクランプ金具６は底面部６３の幅がその中に座金４１が挿通され得る幅としてあるので、クランプ金具６の押込みは可能である。そして、クランプ金具６の他方の側を上記山部２１に沿う方向に打込むと、底面部６３がパッキン材４２にくい込み、一方のガイド溝６５ａに入ったフックボルト４の軸部はガイド溝６５ａの最狭部を押し広げるようにして通過し、丸穴６４に嵌入される。パッキン材４２は容易に変形破断され、クランプ金具６の打込みが阻害されることはない。しかしてクランプ金具６は、その丸穴６４がフックボルト４の軸部まわりに嵌合され、かつ打込みの過程で底面部６３が既設屋根材２の山部２１で押上げられるから、既設屋根材２の山部２１に強固に係止される。このようにして図１に示すように既設の各フックボルト４を利用してクランプ金具６を固定する。なお、クランプ金具６の取付けに際し、フックボルト４のナット４３からの突出長さが長い場合には、ナット４３の直上でフックボルト４を切断する。
【００２０】
次に新規屋根材３の１枚を既設屋根材２上への設置位置に位置決めして上からクランプ金具６の剣先ボルト７の軸端に既設屋根材２を覆うように支持させる。そして軸端に支持されている新規屋根材３の山部３１の支持点まわりに上から打込み工具８で打ち込む。
【００２１】
図３に示すように打込み工具８は下半部を筒状とした柱状体で、下端８１の開口周縁は新規屋根材３の山部にほぼ沿う波形状としてある。また外周部には軸対称位置に凹部８２が形成してある。
【００２２】
打込み工具８は剣先ボルト７により支持された新規屋根材３の支持点まわりに下端８１を置いて新規屋根材３の山部上に立てられる。この場合、凹部８２は新規屋根材３の山部に対する下端８１の方向性を決める役割を果たす。新規屋根材３の支持点は母屋１の上方位置で直線状に配列しており、かつ金属板の新規屋根材３は薄く（０．４〜０．５ｍｍ程度）、かつ尖った剣先ボルト７の軸端で支持されているから作業者が屋根材３の山部を上から手指で軽く押すことで容易に位置確認をすることができる。
【００２３】
打込み工具８の打込みは、工具８の頭を小型のハンマーで叩くことによりなされる。新規屋根材３は支持点まわりが打込まれることにより剣先ボルト７の尖状軸端により打抜かれる。このようにして各支持点が打ち抜かれると新規屋根材３はクランプ金具６上に載置され、屋根材３の山部から剣先ボルト７の上端部が突出した状態となる。打抜かれた新規屋根材３の穴まわりにはめくれ状にバリが発生するが、このバリはその後の新規屋根材固定作業に支障をきたすものではない。
【００２４】
次に新規屋根材３の山部から突出する剣先ボルト７の軸部７１まわりにパッキン材９１を取付ける。パッキン材９１はドーナツ形で厚く柔軟な材料からなり、中心孔を剣先ボルト７に挿通させ、新規屋根材３の打抜き穴およびそのまわりのバリを覆うようにする。
【００２５】
次にパッキン材９１を覆うように新規屋根材３の山部３１に座金部材９２を取付ける。座金部材９２は全体が鞍形で上記山部３１に合致する断面形状としてあり、頂部中央に突出部９２１が形成され、突出部９２１の頂面には剣先ボルト７挿通用の長穴９２２が形成してある。この座金部材９２は、長穴９２２に剣先ボルト７の上端部を挿通させ、パッキン材９１を覆うようにしてセットされる。
【００２６】
次に座金部材９２の長穴９２２から突出する剣先ボルト７の上端を利用してナット部材９３により座金部材９２を上から締付けることにより、座金部材９２を介して新規屋根材３を既設屋根材２の上に押付け固定する。このようにして複数枚の新規屋根材３が、既設屋根材２全体を覆うように順次設置される。
【００２７】
上記実地形態によれば、クランプ金具６に一体に設けられて新規屋根材３から突出する剣先ボルト７を利用し、これにナット締めするのみで新規屋根材３をクランプ金具６に作業性よく固定することができる。また金属板の新規屋根材３を剣先ボルト７の尖状軸端に支持せしめたとき、支持位置は新規屋根材３の上から容易に確認でき、支持点まわりに新規屋根材３に荷重を加えることで剣先ボルト７を新規屋根材３を貫通して突出さけることができる。
【００２８】
またクランプ金具６は、既設のフックボルト４嵌合位置と剣先ボルト７設置位置とをずらせたから、クランプ金具６の高さを低くしても、金具６内に突出するフックボルト先端と剣先ボルト７の頭部７２とは干渉しない。なお、上記実地形態では剣先ボルト７はその軸部７１をクランプ金具６に形成したねじ穴に螺結せしめたが、通常の丸穴に剣先ポルト７の軸部７１を挿通し、頭部７２をクランプ金具６に溶接する取付構造としてもよい。
【００２９】
図４は、本発明により補修された他の補修屋根を示すもので、この実地形態は、新規屋根材３の下に断熱材１００を敷設したことと、これに伴ってクランプ金具６の高さを高くしたことにおいて先の実地形態と異なる。
【００３０】
クランプ金具６の高さを高くしたので、クランプ金具６内へ突出するフックボルト４の先端と、クランプ金具６に立設した剣先ボルト７の頭部７２とは干渉しないから、剣先ボルト７はクランプ金具６の長手方向中央に立設してある。他の構造は先の実地形態と同じであり、同一部材は同一符号で示す。
【００３１】
本発明では、既設屋根材に固定されるクランプ金具に剣先ボルトを立設して剣先ボルトで新規屋根材を支持させ、剣先ボルトを新規屋根材に貫通させ、新規屋根材から突出する剣先ボルトを利用して新規屋根材をクランプ金具にナット締め固定するようにしたから、クランプ金具に新規屋根材をドリルタッピングねじなどによりねじ締めする必要がなく、かつねじ締め個所をいちいち確認する必要もなく、新規屋根材の取付作業性が大きく改善される。
【図面の簡単な説明】
【００３２】
【図１】本発明の工法により補修された補修屋根の構造を示すもので（Ａ）は正面図、（Ｂ）は（Ａ）のＩＢ−ＩＢ線に沿う断面図である。
【図２】上記補修屋根の構成部材の斜視図である。
【図３】本発明の工法の施工に用いる打ち抜き工具の斜視図である。
【図４】本発明の工法により補修された他の補修屋根の構造を示す正面図である。
【符号の説明】
【００３３】
１  母屋
２  既設屋根材
２１  山部
３  新規屋根材
３１  山部
４  フックボルト
４１  ナット座金
６  クランプ金具
６４  嵌合穴
６５ａ，６５ｂ  切欠き
６６  ねじ穴
７  剣先ボルト
７１  軸部
７２  頭部
８  打抜き工具
９１  パッキン材
９２  座金部材
９２２  ボルト挿通穴
９３  ナット部材
【図１】
2005256374.tif 000003
【図２】
2005256374.tif 000004
【図３】
2005256374.tif 000005
【図４】
2005256374.tif 000006